【手続補正書】
【提出日】平成22年9月14日(2010.9.14)
【手続補正１】
【補正対象書類名】特許請求の範囲
【補正対象項目名】全文
【補正方法】変更
【補正の内容】
【特許請求の範囲】
【請求項１】
２枚１組で用いる基板のうち少なくとも１枚が可撓性の基板であり、
前記１組の基板の間に電気により作動する部位を有し、この電気により作動する部位を第１のシール材で囲んだ表示装置の製造方法であり、
複数個の前記表示装置を、それらの外部を第２のシール材で囲んで接着した前記１組の基板中で作製する作製工程と、
前記作製した後に前記複数個の前記表示装置を個別に切断して製造する切断工程と、
を含み、
前記第２のシール材は、前記第１のシール材で囲んだ表示装置の複数個全部の全周を囲み、かつ前記１組の基板間を前記第２のシール材と前記第１のシール材とにより密封し、
前記第１のシール材は、温度２０℃から３０℃の範囲における弾性率が１×１０８Ｐａ以上であり、
前記第２のシール材は、温度２０℃から３０℃の範囲における弾性率が１×１０７Ｐａ以下であることを特徴とする表示装置の製造方法。
【請求項２】
前記表示装置が液晶表示装置である請求項１に記載の表示装置の製造方法。
【請求項３】
前記表示装置が有機ＥＬ表示装置である請求項１に記載の表示装置の製造方法。
【請求項４】
前記表示装置が電気泳動式表示装置である請求項１に記載の表示装置の製造方法。
【請求項５】
１枚の前記基板上に前記第１のシール材を付与し、
他方の前記基板上に前記第２のシール材を付与した後に、
２枚の前記基板を貼り合わせる工程を、
含むことを特徴とする請求項１乃至請求項４の何れか１項に記載の表示装置の製造方法。
【請求項６】
１枚の同一の前記基板上に前記第１のシール材と前記第２のシール材を付与した後に、２枚の前記基板を貼り合わせる工程を、
含むことを特徴とする請求項１乃至請求項４の何れか１項に記載の表示装置の製造方法。
【請求項７】
前記第１のシール材を付与する際、
シリンジに入れた液状の第１のシール材を押し出しながら塗布するディスペンサーを用いて行う工程を、
含むことを特徴とする請求項５または請求項６に記載の表示装置の製造方法。
【請求項８】
前記第２のシール材を付与する際、
シリンジに入れた液状の前記第２のシール材を押し出しながら塗布するディスペンサーを用いて行う工程を、
含むことを特徴とする請求項５または請求項６に記載の表示装置の製造方法。
【手続補正２】
【補正対象書類名】明細書
【補正対象項目名】０００７
【補正方法】変更
【補正の内容】
【０００７】
請求項１に記載の発明は、２枚１組で用いる基板のうち少なくとも１枚が可撓性の基板であり、
前記１組の基板の間に電気により作動する部位を有し、この電気により作動する部位を第１のシール材で囲んだ表示装置の製造方法であり、
複数個の前記表示装置を、それらの外部を第２のシール材で囲んで接着した前記１組の基板中で作製する作製工程と、
前記作製した後に前記複数個の前記表示装置を個別に切断して製造する切断工程と、
を含み、
前記第２のシール材は、前記第１のシール材で囲んだ表示装置の複数個全部の全周を囲み、かつ前記１組の基板間を前記第２のシール材と前記第１のシール材とにより密封し、
前記第１のシール材は、温度２０℃から３０℃の範囲における弾性率が１×１０８Ｐａ以上であり、
前記第２のシール材は、温度２０℃から３０℃の範囲における弾性率が１×１０７Ｐａ以下であることを特徴とする表示装置の製造方法である。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項２に記載の発明は、前記表示装置が液晶表示装置である請求項１に記載の表示装置の製造方法である。
【手続補正５】
【補正対象書類名】明細書
【補正対象項目名】００１０
【補正方法】変更
【補正の内容】
【００１０】
請求項３に記載の発明は、前記表示装置が有機ＥＬ表示装置である請求項１に記載の表示装置の製造方法である。
【手続補正６】
【補正対象書類名】明細書
【補正対象項目名】００１１
【補正方法】変更
【補正の内容】
【００１１】
請求項４に記載の発明は、前記表示装置が電気泳動式表示装置である請求項１に記載の表示装置の製造方法である。
【手続補正７】
【補正対象書類名】明細書
【補正対象項目名】００１２
【補正方法】変更
【補正の内容】
【００１２】
請求項５に記載の発明は、１枚の前記基板上に前記第１のシール材を付与し、
他方の前記基板上に前記第２のシール材を付与した後に、
２枚の前記基板を貼り合わせる工程を、
含むことを特徴とする請求項１乃至請求項４の何れか１項に記載の表示装置の製造方法である。
【手続補正８】
【補正対象書類名】明細書
【補正対象項目名】００１３
【補正方法】変更
【補正の内容】
【００１３】
請求項６に記載の発明は、１枚の同一の前記基板上に前記第１のシール材と前記第２のシール材を付与した後に、２枚の前記基板を貼り合わせる工程を、
含むことを特徴とする請求項１乃至請求項４の何れか１項に記載の表示装置の製造方法である。
【手続補正９】
【補正対象書類名】明細書
【補正対象項目名】００１４
【補正方法】変更
【補正の内容】
【００１４】
請求項７に記載の発明は、前記第１のシール材を付与する際、
シリンジに入れた液状の第１のシール材を押し出しながら塗布するディスペンサーを用いて行う工程を、
含むことを特徴とする請求項５または請求項６に記載の表示装置の製造方法である。
【手続補正１０】
【補正対象書類名】明細書
【補正対象項目名】００１５
【補正方法】変更
【補正の内容】
【００１５】
請求項８に記載の発明は、前記第２のシール材を付与する際、
シリンジに入れた液状の前記第２のシール材を押し出しながら塗布するディスペンサーを用いて行う工程を含むことを特徴とする請求項５または請求項６に記載の表示装置の製造方法である。
【手続補正１１】
【補正対象書類名】明細書
【補正対象項目名】００１７
【補正方法】変更
【補正の内容】
【００１７】
請求項１に記載の発明では、複数個の表示装置を、それらの外部を第２のシール材で囲んで接着した１組の基板中で作製し、作製した後に複数個の表示装置を個別に切断して製造することで、製造工程中に、可撓性の基板に四隅からめくられるような力が加わっても第２のシール材によって基板が剥離しにくい。  また、第２のシール材は、第１のシール材で囲んだ表示装置の複数個全部の全周を囲み、かつ１組の基板間を第２のシール材と第１のシール材とにより密封し、第１のシール材が温度２０℃から３０℃の範囲における弾性率が１×１０８Ｐａ以上であり、装置の使用中に第１のシール材を通して内部への不純物の溶出やガスの透過などが起こりにくく、製造される表示装置の電気特性が低下することを抑えることができる。
また、第２のシール材は、第１のシール材で囲んだ表示装置の複数個全部の全周を囲み、かつ１組の基板間を第２のシール材と第１のシール材とにより密封し、第１のシール材は、温度２０℃から３０℃の範囲における弾性率が１×１０８Ｐａ以上であり、第２のシール材は、温度２０℃から３０℃の範囲における弾性率が１×１０７Ｐａ以下であることで、特に基板が大きいサイズでは、搬送中にたわむなどにより引き剥がされる力がかかりやすく、周囲（特に四隅）から剥離しやすくなるが、第２のシール材によって剥離を防ぐことができる。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
請求項２に記載の発明では、表示装置が液晶表示装置であり、液晶表示装置を搬送工程中などに基板が剥離しにくく、また製造される表示装置の電気特性が低下することを抑えることができる。
【手続補正１４】
【補正対象書類名】明細書
【補正対象項目名】００２０
【補正方法】変更
【補正の内容】
【００２０】
請求項３に記載の発明では、表示装置が有機ＥＬ表示装置であり、有機ＥＬ表示装置を搬送工程中などに基板が剥離しにくく、また製造される表示装置の電気特性が低下することを抑えることができる。
【手続補正１５】
【補正対象書類名】明細書
【補正対象項目名】００２１
【補正方法】変更
【補正の内容】
【００２１】
請求項４に記載の発明では、表示装置が電気泳動式表示装置であり、電気泳動式表示装置を搬送工程中などに基板が剥離しにくく、また製造される表示装置の電気特性が低下することを抑えることができる。
【手続補正１６】
【補正対象書類名】明細書
【補正対象項目名】００２２
【補正方法】変更
【補正の内容】
【００２２】
請求項５に記載の発明では、１枚の基板上に第１のシール材を付与し、他方の基板上に第２のシール材を付与することで、それぞれ別々の部品として品質管理ができ、かつ迅速な製造が可能である。
【手続補正１７】
【補正対象書類名】明細書
【補正対象項目名】００２３
【補正方法】変更
【補正の内容】
【００２３】
請求項６に記載の発明では、１枚の同一の基板上に第１のシール材と第２のシール材を付与することで、１部品として品質管理ができ、かつ迅速な製造が可能である。
【手続補正１８】
【補正対象書類名】明細書
【補正対象項目名】００２４
【補正方法】変更
【補正の内容】
【００２４】
請求項７に記載の発明では、第１のシール材を付与する際、シリンジに入れた液状の接着剤を押し出しながら塗布するディスペンサーを用いて行うことで、第１のシール材を簡単かつ確実に付与することができる。
【手続補正１９】
【補正対象書類名】明細書
【補正対象項目名】００２５
【補正方法】変更
【補正の内容】
【００２５】
請求項８に記載の発明では、第２のシール材を付与する際、シリンジに入れた液状のシール材を押し出しながら塗布するディスペンサーを用いて行うことで、シール材を簡単かつ確実に付与することができる。
【手続補正２０】
【補正対象書類名】明細書
【補正対象項目名】００４２
【補正方法】変更
【補正の内容】
【００４２】
第１のシール材５ａは複数個の表示装置１の電気により作動する部位４をそれぞれその外部全体を囲むように付与し、第２のシール材５ｂは複数個の表示装置１の電気により作動する部位４の外部全体を囲むように付与している。